(57)【要約】【課題】ガラス部分が割れたり、ヒビが生じたりしたとき、ガラスの破断面が露出したり、ガラス破片が散乱したりし難い収納家具を提供する。【解決手段】収納家具１０は、正面に開口部２１を有し、その内部に物品を収納可能な直方体形状の本体部２０と、本体部２０の開口部２１を覆う左右一対の観音開き式の開閉部材３０，３０と、を備えている。開閉部材３０，３０は、本体部２０の開口部２１の四隅付近の天板２２及び底板２３に鉛直方向に設けられた支軸を中心に回動可能である。開閉部材３０，３０は、その略全面が、可撓性を有するフィルムを両面に貼着したガラス板で形成されている。【選択図】図１
2017070344.tif 000002
【特許請求の範囲】
【請求項１】
物品を収納可能な本体部と、前記本体部の開口部を覆う開閉部材と、を備え、
前記開閉部材の少なくとも一部が、可撓性を有するフィルムを両面に貼着したガラス板である収納家具。
【請求項２】
前記フィルムの材質が塩化ビニル樹脂若しくはＰＥＴ樹脂である請求項１記載の収納家具。
【発明の詳細な説明】
【技術分野】
【０００１】
本発明は、食器、書籍、雑貨などの様々な物品を収納するために使用される収納家具に関する。
【背景技術】
【０００２】
食器、書籍、雑貨などの物品を収納する収納家具については、従来、様々なデザイン、形状を有するものが開発されているが、物品を収納する本体部の正面に開閉式のガラス扉やガラス戸を備えたものが多い。ガラス扉やガラス戸は本体部に収納されている物品が外から見えるので便利である。
【０００３】
一方、本願発明に関連する先行技術として、例えば、特許文献１に記載されている「食器棚」がある。この「食器棚」は、収納部本体と、この収納部本体の開口を塞ぐように設けられた複数の扉を備えている。また、扉を形成する窓枠で囲まれた部分に窓ガラスが設けられており、この窓ガラスは、半透視性を有するシート材を、無色透明な２枚のガラス製の窓板で挟んで形成されている。
【先行技術文献】
【特許文献】
【０００４】
【特許文献１】特開２００３−３２８６５７号公報
【発明の概要】
【発明が解決しようとする課題】
【０００５】
従来の収納家具の場合、ガラス扉やガラス戸に誤って身体や物がぶつかったり、地震発生時に収納物がガラス扉などの内面に衝突したりすると、ガラスにヒビが生じたり、ガラスが割れたりすることがあるので、ガラスの破断面や破片などに身体が触れると怪我をするおそれがある。
【０００６】
一方、特許文献１に記載された「食器棚」の一部をなす窓ガラスは２枚のガラスの間にシート材を挟んだ構造であるため、ガラス１枚の場合より強度は高いかもしれないが、強い衝撃を受けて、ガラスが割れると、鋭利な破断面やガラス破片が生じる点においては従来の収納家具のガラス扉などと同様である。
【０００７】
そこで、本発明が解決しようとする課題は、ガラス部分が割れたり、ヒビが生じたりしたとき、ガラスの破断面が露出したり、ガラス破片が散乱したりし難い収納家具を提供することにある。
【課題を解決するための手段】
【０００８】
本発明の収納家具は、
物品を収納可能な本体部と、前記本体部の開口部を覆う開閉部材と、を備え、
前記開閉部材の少なくとも一部が、可撓性を有するフィルムを両面に貼着したガラス板であることを特徴とする。
【０００９】
このような構成とすれば、何らかの衝撃を受けて開閉部材のガラス板が割れたり、ヒビが生じたりしたとき、可撓性を有するフィルムは破断することなくガラス板の両面に貼着された状態を保つので、ガラスの鋭利な破断面が露出したり、ガラス破片が散乱するのを防止することができる。
【００１０】
ここで、前記ガラス板の両面に貼着されるフィルムの材質は塩化ビニル樹脂若しくはＰＥＴ樹脂とすることができる。
【発明の効果】
【００１１】
本発明により、ガラス部分が割れたり、ヒビが生じたりしたとき、ガラスの破断面が露出したり、ガラス破片が散乱したりし難い収納家具を提供することができる。
【図面の簡単な説明】
【００１２】
【図１】本発明の実施形態である収納家具を示す斜視図である。
【図２】図１中の矢線Ｘで示す部分のガラスの断面図である。
【図３】図１中の矢線Ｘで示す部分のガラスが割れた状態を示す断面図である。
【発明を実施するための形態】
【００１３】
以下、図１〜図３に基づいて、本発明の実施形態である収納家具について説明する。図１，図２に示すように、本実施形態の収納家具１０は、正面に開口部２１を有し、その内部に物品を収納可能な直方体形状の本体部２０と、本体部２０の開口部２１を覆う左右一対の観音開き式の開閉部材３０，３０と、を備えている。開閉部材３０，３０は、本体部２０の開口部２１の四隅付近の天板２２及び底板２３に鉛直方向に設けられた支軸（図示せず）を中心に回動可能である。開閉部材３０，３０は、その略全面が、図２に示すように、可撓性を有するフィルム３１，３１を両面にそれぞれ貼着したガラス板３２で形成されている。
【００１４】
フィルム３１の材質は塩化ビニル樹脂であるが、これに限定するものではないので、その他の合成樹脂、例えば、ＰＥＴ（ポリエチレンテレフタレート）樹脂製のフィルムなどを使用することもできる。
【００１５】
また、フィルム３１は無色で全体的に透光性を有しているが、色や模様などを有するもの、半透光性や遮光性を有するもの、あるいは紫外線遮蔽機能を有するものなどを使用することもできる。
【００１６】
開閉部材３０，３０の外面に身体や物が当接したり、地震発生時に本体部２０内の収納物（図示せず）が開閉部材３０，３０の内面に衝突したりして、ガラス板３２が割れた場合、割れた部分は図３に示すような状態となる。
【００１７】
即ち、図３に示すように、ガラス板３２の割れ目３３には破断面３１ａ，３１ａが生じるが、可撓性を有するフィルム３１，３１は、破断することなく、割れ方向に折れ曲がるとともに、ガラス板３２の両面に貼着された状態を保つので、ガラス板３２，３２の破断面３２ａ，３２ａが露出したり、ガラス破片（図示せず）が散乱したりするのを防止できる。
【００１８】
従って、ガラス板３２の割れ目３３付近に手指などが触れたときに、破断面３２ａ，３２ａが手指などに直接触れることがなく、破断面３２ａ，３２ａによる怪我を防止することができる。また、収納家具１０の周辺の床面にガラス破片が散乱することもないので、収納家具１０の近くを歩いたときに足を怪我することもない。
【００１９】
このように、収納家具１０は、何らかの衝撃で開閉部材３０，３０のガラス板３２，３２が割れたり、ヒビが生じたりしたときに、割れ目３３にガラス板３２の鋭利な破断面３２ａ，３２ａが露出したり、ガラス破片が散乱したりし難いので、従来の収納家具に比べ、安全性に優れている。
【００２０】
なお、図１〜図３に基づいて説明した収納家具１０は、本発明の一例を示すものであり、本発明の収納家具は前述した収納家具１０に限定されない。
【産業上の利用可能性】
【００２１】
本発明の収納家具は、家具製造業の分野において製造し、一戸建ての住宅、集合住宅あるいは公共の建物などにおいて広く利用することができる。
【符号の説明】
【００２２】
１０  収納家具
２０  本体部
２１  開口部
２２  天板
２３  底板
３０  開閉部材
３１  フィルム
３２  ガラス板
３２ａ  破断面
３３  割れ目
【図１】
2017070344.tif 000003
【図２】
2017070344.tif 000004
【図３】
2017070344.tif 000005